(57)【要約】  端末情報に基づいたあつらえ型コンテンツの提供方法及びその装置を提供する。コンテンツを動作させる端末機の情報を把握し、ユーザがコンテンツを選択すれば、該コンテンツが直ちに利用可能であるか、あるいは別途のコンテンツ供給者に申請しなければならないか否かを判断し、必要である場合に所定の通信網を介してコンテンツ供給者にコンテンツを要請して伝送され、直ちに利用可能であるか、あるいは伝送されたコンテンツが端末機で動作するためにコンテンツのファイル形式が変化せねばならないか否かを判断し、必要時に変換してコンテンツを準備し、準備されたコンテンツを端末機に伝送してユーザに供給し、ユーザは既存に必要であった自身が所有した機器のシステム情報を認知できずとも簡単にコンテンツを獲得でき、既存にコンテンツ確保に費やされた多くの変換時間と事前準備段階に必要な時間とを縮めることができ、無形財産権の使用についての合理的な方法を提示できるので、コンテンツ制作者とユーザとをいずれも適法な使用環境へ誘導でき、コンテンツをダウンロードするとき、既存に使用した移動通信網を使用させないことにより、過大な課金問題を解決でき、移動時に備えて常にコンテンツを準備した面倒さも解決できる。
2009515378.tif 000002
【特許請求の範囲】
【請求項１】
（ａ）コンテンツを動作させる端末機の情報を把握する段階と、
（ｂ）ユーザがコンテンツを選択すれば、そのコンテンツが直ちに利用可能であるか、あるいは別途のコンテンツ供給者に申請しなければならないか否かを判断し、必要な場合に所定の通信網を介してコンテンツ供給者にコンテンツを要請して伝送される段階と、
（ｃ）直ちに利用可能であるか、あるいは伝送されたコンテンツが前記（ａ）段階で把握された端末機で動作するためにコンテンツのファイル形式が変化せねばならないか否かを判断し、必要時に変換してコンテンツを準備する段階と、
（ｄ）前記（ｃ）段階を経て準備されたコンテンツを前記端末機に伝送してユーザに供給する段階とを含むことを特徴とする端末情報に基いたあつらえ型コンテンツの提供方法。
【請求項２】
前記（ａ）段階で把握する端末情報は、前記端末が支援するイメージ圧縮フォーマット、端末の余裕保存空間サイズ、端末の画面情報、端末が支援する文書の種類、端末が支援する動映像の圧縮形式、端末のメインメモリサイズ、ＣＰＵ情報、前記端末が搭載しているプラットホームとライブラリとのバージョン情報、及び前記端末が搭載しているライブラリの種類を含むことを特徴とする請求項１に記載の端末情報に基いたあつらえ型コンテンツの提供方法。
【請求項３】
前記（ｃ）段階でコンテンツを変換することは、
前記端末が支援するイメージ圧縮フォーマット、端末の余裕保存空間サイズ、端末の画面情報を含む端末情報によって、イメージを前記端末に最適化された形態に変換することを特徴とする請求項１または請求項２に記載の端末情報に基いたあつらえ型コンテンツの提供方法。
【請求項４】
前記（ｃ）段階でコンテンツを変換することは、
前記端末が支援する文書の種類、端末の余裕保存空間サイズ、端末の画面情報を含む端末情報によって、文書を前記端末に最適化された形態に変換することを特徴とする請求項１または請求項２に記載の端末情報に基いたあつらえ型コンテンツの提供方法。
【請求項５】
前記（ｃ）段階でコンテンツを変換することは、
前記端末が支援する動映像の圧縮形式、端末の余裕保存空間サイズ、端末の画面情報、端末のメインメモリサイズ、ＣＰＵ情報を含む端末情報によって、動映像を前記端末に最適化された形態に変換することを特徴とする請求項１または請求項２に記載の端末情報に基いたあつらえ型コンテンツの提供方法。
【請求項６】
前記（ｃ）段階でコンテンツを変換することは、
前記端末が搭載しているプラットホームとライブラリとのバージョン情報、搭載したライブラリの種類、端末のメインメモリサイズ、ＣＰＵ情報、端末の余裕保存空間サイズ、端末画面情報を含む端末情報によって、コンテンツを作り直すことを特徴とする請求項１または請求項２に記載の端末情報に基いたあつらえ型コンテンツの提供方法。
【請求項７】
前記（ｂ）段階で、コンテンツが直ちに利用可能であると判断されるか、またはコンテンツ供給者にコンテンツを要請する前に、前記ユーザにコンテンツ供給に対して課金することを特徴とする請求項１に記載の端末情報に基いたあつらえ型コンテンツの提供方法。
【請求項８】
前記（ｄ）段階で、コンテンツをユーザに供給することは、有線あるいは無線の方法を介して、前記コンテンツを動作させる端末機がアクセス可能な保存手段に伝送して保存することを特徴とする請求項１に記載の端末情報に基いたあつらえ型コンテンツの提供方法。
【請求項９】
前記無線の方法で伝送することは、無線ＬＡＮ及びブルーツース方式を含むことを特徴とする請求項３に記載の端末情報に基いたあつらえ型コンテンツの提供方法。
【請求項１０】
コンテンツを動作させる端末機の情報を把握する端末情報把握部と、
コンテンツを選択するユーザの入力を受けるユーザ入力部と、
ユーザの選択したコンテンツが直ちに利用可能であるか、あるいは別途のコンテンツ供給者に申請しなければならないか否かを判断し、必要な場合に所定の通信網を介してコンテンツ供給者にコンテンツを要請して伝送され、該コンテンツが前記端末機で動作するためにコンテンツのファイル形式が変化せねばならないか否かを判断し、必要時に変換して準備するコンテンツ判断／変換部と、
前記準備されたコンテンツを前記端末機に伝送してコンテンツをユーザに供給する伝送部とを備えることを特徴とする端末情報に基いたあつらえ型コンテンツの提供装置。
【請求項１１】
前記ユーザ入力部は、前記コンテンツを動作させる端末機に対する情報をユーザから入力されうることを特徴とする請求項１０に記載の端末情報に基いたあつらえ型コンテンツの提供装置。
【請求項１２】
端末情報把握部が把握する端末情報は、前記端末が支援するイメージ圧縮フォーマット、端末の余裕保存空間サイズ、端末の画面情報、端末が支援する文書の種類、端末が支援する動映像の圧縮形式、端末のメインメモリサイズ、ＣＰＵ情報、前記端末が搭載しているプラットホームとライブラリとのバージョン情報、及び前記端末が搭載しているライブラリの種類を含むことを特徴とする請求項１０に記載の端末情報に基いたあつらえ型コンテンツの提供装置。
【請求項１３】
前記コンテンツ判断／変換部は、
前記端末が支援するイメージ圧縮フォーマット、端末の余裕保存空間サイズ、端末の画面情報を含む端末情報によって、イメージを前記端末に最適化された形態に変換するイメージ変換器と、
前記端末が支援する文書の種類、端末の余裕保存空間サイズ、端末の画面情報を含む端末情報によって、文書を前記端末に最適化された形態に変換する文書変換器と、
前記端末が支援する動映像の圧縮形式、端末の余裕保存空間サイズ、端末の画面情報、端末のメインメモリサイズ、ＣＰＵ情報を含む端末情報によって、動映像を前記端末に最適化された形態に変換する動映像変換器と、
前記端末が搭載しているプラットホームとライブラリとのバージョン情報、搭載したライブラリの種類、端末のメインメモリサイズ、ＣＰＵ情報、端末の余裕保存空間サイズ、端末画面情報を含む端末情報によって、コンテンツを作り直すコンパイラ／リンカとを備えることを特徴とする請求項１０または請求項１２に記載の端末情報に基いたあつらえ型コンテンツの提供装置。
【請求項１４】
前記コンテンツ判断／変換部は、ユーザの選択したコンテンツが直ちに利用可能であると判断するか、またはコンテンツ供給者にコンテンツを要請する前に、前記ユーザにコンテンツ供給に対して課金することを特徴とする請求項１０に記載の端末情報に基いたあつらえ型コンテンツの提供装置。
【請求項１５】
前記伝送部は、有線あるいは無線の経路を介して、前記コンテンツを動作させる端末機がアクセス可能な保存手段に前記準備されたコンテンツを伝送して保存させることを特徴とする請求項１０に記載の端末情報に基いたあつらえ型コンテンツの提供装置。
【請求項１６】
（ａ）コンテンツを動作させる端末機の情報を把握する段階と、
（ｂ）ユーザがコンテンツを選択すれば、該コンテンツが直ちに利用可能であるか、あるいは別途のコンテンツ供給者に申請しなければならないか否かを判断し、必要な場合に所定の通信網を介してコンテンツ供給者にコンテンツを要請して伝送される段階と、
（ｃ）直ちに利用可能であるか、あるいは伝送されたコンテンツが前記（ａ）段階で把握された端末機で動作するためにコンテンツのファイル形式が変化せねばならないか否かを判断し、必要時に変換してコンテンツを準備する段階と、
（ｄ）前記（ｃ）段階を経て準備されたコンテンツを前記端末機に伝送してユーザに供給する段階とを含むことを特徴とする端末情報に基いたあつらえ型コンテンツの提供方法が記録されたコンピュータで読み取り可能な記録媒体。
【発明の詳細な説明】
【技術分野】
【０００１】
本発明は、コンテンツ流通に係り、特にコンテンツが再生される端末の情報によって、あつらえ方式でコンテンツを供給できる端末情報に基いたあつらえ型コンテンツの提供方法及び該装置に関する。
【背景技術】
【０００２】
最近、代表的な個人用携帯通信装備である携帯電話の各種付加可能が発達した形態に進化している。携帯電話は、すでに高画素カメラフォン、ＤＭＢ（Digital Multimedia Broadcasting）受信のような機能を備えており、特別に既存にスマートフォンなどが有していたファイルビューアやテキストビューアをすでに搭載している実情である。周知のように、ＰＤＡ（Personal Digital Assistant）は、いまや大衆に手慣れた個人携帯用小型コンピュータ装置になり、その主要機能も、インターネット連結、個人情報管理、動映像やＭＰ３ファイルの再生機能、ゲーム機能、ファイルビューア、ファイル編集など最新の機能を提供できるように発展しつつある。これとは別途に、ソニー社の個人用ゲーム機器であるＰＳＰ（Play Station Portable）のような機器も、大衆に人気を呼び起こしつつ急速に普及している実情である。ＰＳＰの主要機能としては、２Ｄ／３Ｄゲーム機能、動映像再生、インターネット連結機能などを提供する。
【０００３】
また、ＰＭＰ（Portable Multimedia Player）と呼ばれる各種個人用マルチメディア機器もまた急速に普及している。現在、動映像再生、ＭＰ３ファイル再生、ＧＰＳナビゲーション、ファイルビューア、テキストビューア機能などを基本搭載した多数のＰＭＰが市場に出回っており、これは、今後多様な変種機器と機能向上とによって、さらに活発に普及されるものと期待される。
【０００４】
前述の多様な携帯型マルチメディア機器は、多様な技術的進化過程を経て大衆に普及するものと予想される。その例として、ＰＭＰ機能を有する携帯電話、ＰＤＡ機能を有する携帯用ゲーム機など、多様なマルチメディア機器の出現は、さほど遠くのことではないであろう。以下の説明では、前述のマルチメディア再生機能、ファイルビューアのような基本機能を有する個人用メディア再生装置と、今後前記の機能を含んで出現可能なコンピュータ装置とを通称してＰＭＳ（Portable Media System）と称することにする。
【０００５】
一般的に、ＰＭＳの設計時に、非常に多様な仕様のコンピュータシステムとして具現される。実際に、その具現のために、多様なＳｏＣ（System on a Chip）、ＤＳＰ（Digital Signal Processor）などが使われ、ＰＭＳの仕様によって、メインメモリ及び補助メモリも、多様な容量と種類とを有する。
【０００６】
代表的なものとして、メインメモリの場合、ＳＤＲＡＭが現在最も多用されており、補助メモリの場合、揮発性のないフラッシュメモリが最も広範囲に使われている。現在までフラッシュメモリの読み取り及び書き込みの速度は、ＳＤＲＡＭの読み取り及び書き込みの速度に対応できないので、プログラムの速い実行のためにＳＤＲＡＭが必要であり、２つのメモリ部分が必要である。しかし、かような部分は、フラッシュメモリの性能向上がなされれば、自然にフラッシュメモリだけを有したシステムが出現すると予想される。
【０００７】
一般的にＰＭＳは、非常に多様なディスプレイ装置をもってユーザインターフェースを行うのであるが、それは、それぞれのＰＭＳのメーカや使用用途が異なることによる自然な結果であるといえる。携帯電話の場合にも、各機種ごとに非常に多様なディスプレイ部を有しており、スマートフォンやＰＤＡの場合には、ユーザインターフェースのために相対的に携帯電話よりは大きいＴＦＴ−ＬＣＤを搭載するのが一般的である。ゲーム機やＰＭＰの場合には、各機器の発売会社によって、製品の特徴を表すための方法として非常に多様なサイズのディスプレイ部を搭載している。
【０００８】
以上で述べたように、搭載される多様なディスプレイ部のサイズ及び解像度、カラーレベル、コンピュータシステムの再生能力などの差によって、現在多様なＰＭＳを使用するために、ユーザは自身が保有している機器の情報を認知しておらねばならず、自身のＰＭＳ機器が再生可能なコンテンツをあらかじめ確保しておかねばならないという問題点を有するようになる。
【０００９】
例えば、マイクロソフトのウインドウズモバイル運用体制を使用するＡ社のＰＤＡで再生可能な動映像は、Ｂ社が製作したＰＭＰ機器では、それを再生できない状況になる。また、マイクロソフト社のウインドウズモバイル運用体制を使用するＰＤＡで動作するゲーム応用プログラムは、ソニーのＰＳＰでは、動作が不可能であるという問題がある。そして、画面のサイズによって個人用コンピュータで見ることができたウェブページは、ＰＤＡやＰＭＰのような比較的小サイズの画面で見るには無理が伴う。
【００１０】
すなわち、それぞれのＰＭＳ機器が多様なハードウェア的なコンピュータ構成要素で構成されており、それを運用する運用体制も異なるだけではなく、完成されたそれぞれの機器でマルチメディア再生支援のために提供されるコーデック（codec）の種類もまた異なり、最終的に計算された映像を表示するディスプレイのサイズと仕様とが互いに異なることにより、かようなＰＭＳ機器で使用可能なコンテンツの互換可能性は、非常に低い状況であるといえる。
【００１１】
現在の状況でユーザは、一つ一つ自身が保有したＰＭＳ機器の仕様を確認し、ＰＭＳ機器の製造社で提供した専用ソフトウェアを自身のＰＣで実行させた後、それを使用して一般的な動映像コンテンツを加工し、自身の機器に合ったコンテンツに変換したり、応用プログラムを新らにダウンロードされることによって、所望の目的をある程度果たしている。
【００１２】
かような過程は、ユーザにおいて実際に非常に混乱を起こすものであり、コンピュータ用語などについての相当な程度の事前知識を要求され、コンテンツ変換に多くの時間がかかり、何よりも知的財産権侵害のような法的な問題を伴うので、必ず改善さるべき問題点であるということが分かる。
【００１３】
また、変換されたコンテンツを確保したとしても、必要な適材適時にそれを保有できず、それすらも使用できないならば、機器自体への不信に帰結する可能性もまた存在する。特別の場合として、携帯電話の場合、動映像コンテンツなどをリアルタイムでダウンロードして利用できるが、それは、パケット当たりの課金を実施する国内通信社の料金政策によって行き過ぎた使用料金が賦課されるが、使用料金を予想できないユーザに非常に不利であり、その金額も相当であってたびたび社会問題になったりもする。
【００１４】
かような状況を総合して類推するに、もしユーザが互いに異なる仕様を有する２〜３個のＰＭＳ機器を保有する場合を予想してみれば、以上のコンテンツ変換過程に費やす混乱の大きさに対する予想は困難なことではなく、現在進められているデジタル革命の速度及び社会、文化の発展速度からみるとき、かような問題になる状況の拡大は、さらに大きくなるであろう。
【発明の開示】
【発明が解決しようとする課題】
【００１５】
本発明がなそうとする技術的な課題は、前記の問題点を解決するために、ユーザが別途の変換過程や準備過程をせずとも、ユーザの端末によって所望のコンテンツを柔軟に提供できる端末情報に基いたあつらえ型コンテンツの提供方法及び該装置を提供するところにある。
【００１６】
本発明がなそうとする他の技術的な課題は、前記の端末情報に基いたあつらえ型コンテンツの提供方法を記録したコンピュータで読み取り可能な記録媒体を提供するところにある。
【課題を解決するための手段】
【００１７】
前記技術的課題を解決するための本発明による、端末情報に基いたあつらえ型コンテンツの提供方法は、（ａ）コンテンツを動作させる端末機の情報を把握する段階と、（ｂ）ユーザがコンテンツを選択すれば、該コンテンツが直ちに利用可能であるか、あるいは別途のコンテンツ供給者に申請しなければならないか否かを判断し、必要な場合に所定の通信網を介してコンテンツ供給者にコンテンツを要請して伝送される段階と、（ｃ）直ちに利用可能であるか、あるいは伝送されたコンテンツが前記（ａ）段階で把握された端末機で動作するためにコンテンツのファイル形式が変化せねばならないか否かを判断し、必要時に変換してコンテンツを準備する段階と、（ｄ）前記（ｃ）段階を経て準備されたコンテンツを前記端末機に伝送してユーザに供給する段階とを含むことを特徴とする。
【００１８】
前記（ａ）段階で把握する端末情報は、前記端末が支援するイメージ圧縮フォーマット、端末の余裕保存空間サイズ、端末の画面情報、端末が支援する文書の種類、端末が支援する動映像の圧縮形式、端末のメインメモリサイズ、ＣＰＵ情報、前記端末が搭載しているプラットホームとライブラリとのバージョン情報、及び前記端末が搭載しているライブラリの種類を含むことが望ましい。
【００１９】
そして、前記（ｃ）段階でコンテンツを変換することは、前記端末が支援するイメージ圧縮フォーマット、端末の余裕保存空間サイズ、端末の画面情報を含む端末情報によって、イメージを前記端末に最適化された形態に変換することが望ましい。
【００２０】
前記（ｃ）段階でコンテンツを変換することは、前記端末が支援する文書の種類、端末の余裕保存空間サイズ、端末の画面情報を含む端末情報によって、文書を前記端末に最適化された形態に変換し、前記端末が支援する動映像の圧縮形式、端末の余裕保存空間サイズ、端末の画面情報、端末のメインメモリサイズ、ＣＰＵ情報を含む端末情報によって、動映像を前記端末に最適化された形態に変換し、前記端末が搭載しているプラットホームとライブラリとのバージョン情報、搭載したライブラリの種類、端末のメインメモリサイズ、ＣＰＵ情報、端末の余裕保存空間サイズ、端末画面情報を含む端末情報によって、コンテンツを作り直すことが望ましい。
【００２１】
前記（ｂ）段階で、コンテンツが直ちに利用可能であると判断されるか、またはコンテンツ供給者にコンテンツを要請する前に、前記ユーザにコンテンツ供給に対して課金することが望ましい。
【００２２】
そして、前記（ｄ）段階で、コンテンツをユーザに供給することは、有線あるいは無線の方法を介して、前記コンテンツを動作させる端末機がアクセス可能な保存手段に伝送して保存することが望ましい。
【００２３】
前記技術的課題を解決するための本発明による、端末情報に基いたあつらえ型コンテンツの提供装置は、コンテンツを動作させる端末機の情報を把握する端末情報把握部と、コンテンツを選択するユーザの入力を受けるユーザ入力部と、ユーザの選択したコンテンツが直ちに利用可能であるか、あるいは別途のコンテンツ供給者に申請しなければならないか否かを判断し、必要な場合に所定の通信網を介してコンテンツ供給者にコンテンツを要請して伝送され、該コンテンツが前記端末機で動作するためにコンテンツのファイル形式が変化せねばならないか否かを判断し、必要時に変換して準備するコンテンツ判断／変換部と、前記準備されたコンテンツを前記端末機に伝送してコンテンツをユーザに供給する伝送部とを備えることを特徴とする。
【００２４】
前記他の技術的課題を解決するための本発明による、端末情報に基いたあつらえ型コンテンツの提供方法が記録されたコンピュータで読み取り可能な記録媒体は、（ａ）コンテンツを動作させる端末機の情報を把握する段階と、（ｂ）ユーザがコンテンツを選択すれば、該コンテンツが直ちに利用可能であるか、あるいは別途のコンテンツ供給者に申請しなければならないか否かを判断し、必要な場合に所定の通信網を介してコンテンツ供給者にコンテンツを要請して伝送される段階と、（ｃ）直ちに利用可能であるか、あるいは伝送されたコンテンツが前記（ａ）段階で把握された端末機で動作するためにコンテンツのファイル形式が変化せねばならないか否かを判断し、必要時に変換してコンテンツを準備する段階と、（ｄ）前記（ｃ）段階を経て準備されたコンテンツを前記端末機に伝送してユーザに供給する段階とを含むことを特徴とする。
【発明の効果】
【００２５】
本発明によれば、ユーザは、既存に必要であった自身が所有した機器のシステム情報を認知できずとも簡単にコンテンツを獲得でき、既存にコンテンツ確保に費やされた多くの変換時間と事前準備段階に必要な時間とを縮めることができ、無形財産権の使用に係る合理的な方法を提示できるので、コンテンツ制作者とユーザとがいずれも適法な使用環境に誘導され、コンテンツをダウンロードするときに既存に使用していた移動通信網を使用しないことによって、過大な課金問題を解決でき、移動時に備えて常にコンテンツを準備していた煩わしさを解決できる効果を提供する。
【発明を実施するための最良の形態】
【００２６】
以下、添付された図面を参照しつつ、本発明の望ましい一実施形態について詳細に説明する。
【００２７】
図１は、本発明によって、端末情報に基いてあつらえ型コンテンツを提供する方法の流れを図示したものである。
【００２８】
コンテンツを動作させる端末機の情報を把握し（１０段階）、ユーザがコンテンツを選択すれば、該コンテンツが直ちに利用可能であるか、あるいは別途のコンテンツ供給者に申請しなければならないか否かを判断し（１１段階）、必要な場合に所定の通信網を介してコンテンツ供給者にコンテンツを要請して伝送され（１２段階）、直ちに利用可能であるか、あるいは伝送されたコンテンツが１０段階で把握された端末機で動作するためにコンテンツのファイル形式が変化せねばならないか否かを判断し、必要時に変換してコンテンツを準備し、準備されたコンテンツを前記端末機に伝送してユーザに供給する（１３段階）。
【００２９】
図２は、本発明によって、端末情報に基いてあつらえ型コンテンツを提供する装置の構成をブロックで図示したものである。
【００３０】
この装置は、コンテンツを動作させる端末機の情報を把握する端末情報把握部２０、コンテンツを選択するユーザの入力を受けるユーザ入力部２１、ユーザの選択したコンテンツが直ちに利用可能であるか、あるいは別途のコンテンツ供給者に申請しなければならないか否かを判断し、必要な場合に所定の通信網を介してコンテンツ供給者にコンテンツを要請して伝送され、該コンテンツが前記端末機で動作するためにコンテンツのファイル形式が変化せねばならないか否かを判断し、必要時に変換して準備するコンテンツ判断／変換部２２、及び前記準備されたコンテンツを前記端末機に伝送してコンテンツをユーザに供給する伝送部２３を備える。
【００３１】
コンテンツ判断／変換部２２は、１１段階でコンテンツが直ちに利用可能であると判断するか、あるいはコンテンツ供給者にコンテンツを要請しなければならない場合には、コンテンツを要請する前に、ユーザにコンテンツ供給に対して課金する。
【００３２】
そして、伝送部２３がコンテンツをユーザに供給するのは、有線あるいは無線の方法を介してコンテンツを動作させる端末機がアクセス可能な保存手段に伝送して保存することである。このとき、無線の方法で伝送することは、無線ＬＡＮ（WiFi）及びブルーツース（bluetooth）方式を含む。
【００３３】
図３は、本発明によって、端末情報に基いてあつらえ型コンテンツを提供する方法の流れについて、さらに詳細に図示したものである。これは、図１の過程を詳細に区分したものであり、図３についての説明を介して、図１の段階及び図２の各構成要素について共に説明することとなる。
【００３４】
ユーザは、隣接したコンテンツ自動販売機にアクセスし、コンテンツの購買順序を始める。これは、本発明による装置であるコンテンツ自動販売機に位置した購買開始ボタンを押すことによって可能である。
【００３５】
端末情報把握部２０は、本発明によってコンテンツが供給されれば、該コンテンツを再生あるいは実行するＰＭＳ機器の仕様についての情報を要求し、端末機情報を把握する（３００段階）。
【００３６】
このとき、多様な方法を使用できる。まず、端末であるＰＭＳ機器の仕様についての情報は、ユーザのＰＭＳ機器にあらかじめ入力されているということを仮定し、ＰＭＳ機器に内蔵された仕様情報伝送ボタンを押すことによって、本発明による装置と端末とについての情報を含むメッセージ交換がなされうる（３０５段階）。
【００３７】
メッセージ交換方法は、ＩｒＤＡ（Infrared DAta）、無線伝送など既存の多様な無線伝送技術を使用できる。
【００３８】
あるいは、本発明による装置で提供するケーブルのような手段に端末が連結され、このケーブルを介して端末情報把握部２０は端末に接続し、端末についての情報を得ることもできる。この連結用ケーブルを介してユーザは、所望のコンテンツが本発明による装置からユーザの端末に伝送されうるのである。かようなケーブルを使用せずとも、３０５段階の説明で言及した多様な無線伝送技術を利用し、本発明による装置が端末に接続することもできる。
【００３９】
他の例としては、端末情報把握部２０が提供する画面インターフェースを介して、ユーザが直接自身の端末であるＰＭＳ機器に係る仕様を入力できる（３１０段階）。
【００４０】
前記の通りに得られる端末情報は、前記端末が支援するイメージ圧縮フォーマット、端末の余裕保存空間サイズ、端末の画面情報、端末が支援する文書の種類、端末が支援する動映像の圧縮形式、端末のメインメモリサイズ、ＣＰＵ情報、前記端末が搭載しているプラットホームとライブラリとのバージョン情報、及び前記端末が搭載しているライブラリの種類を含む。その例の一つは、表１の通りの情報である。
【００４１】
【表１】
2009515378.tif 000003
【００４２】
表１のような各細部事項についての本発明による支援については、以下で再度言及する。
【００４３】
もしユーザのＰＭＳ機器が上記のような自動伝送機能を有していない場合、ユーザは、手動で機器製作社、機器名を選択することにより、自身のＰＭＳ機器の情報を提供できるように、ユーザ入力部２１がユーザインターフェースを提供できる。その場合、ユーザが機器製作会社、機器名、あるいはさらにモデル名を入力すれば、端末情報把握部２０は、あらかじめ準備した製造社から提供された情報と対照し、表１のような情報を自動的に構成し、ユーザの端末情報を把握できる。
【００４４】
使用機器情報伝送が完了して端末についての情報が把握されれば、ユーザは、所望のコンテンツを検索、選択できる。このとき、コンテンツは四種に大別されうる。第一に、現在ユーザの要求したコンテンツが本発明による装置内部に存在し、直ちに提供可能である場合、第二に、コンテンツが本発明による装置内部には存在するが、ユーザの端末機器で使用するためにコンテンツの変換が必要である場合、第三に、ユーザの要求したコンテンツが現在本発明による装置内部に保存されておらず、コンテンツ供給者に供給要請が必要である場合、第四に、ユーザの要求したコンテンツが現在本発明による装置内部に保存されておらず、コンテンツ供給者にユーザ端末に合うコンテンツを要請する場合に分けることができる。ユーザは、それぞれの場合にユーザ入力部２１が画面インターフェースを介して提供する推薦メニューを見てそれを選択できる（３１５段階）。そのように、入力された内容は、ユーザ入力部２１を介して入力される。
【００４５】
コンテンツ判断／変換部２２は、選択されたコンテンツの種類によって課金を実施する（３２０段階）。これは、実際の貨幣を使用したり、またはカード決済、携帯電話支払など既存に存在する多様な方法を使用できる。
【００４６】
支払が完了すれば、コンテンツの準備がなされる。コンテンツの準備過程で、コンテンツ判断／変換部２２は、あらかじめ準備していたコンテンツが保存された空間を検索し、３００段階ないし３１０段階を経て把握された端末情報によって、ユーザの選択したコンテンツが存在するか否かを判断し（３２５段階）、もしユーザの端末に合う形態で該コンテンツが存在するか否かを判断し（３３０段階）、その結果、コンテンツ形式の変換が必要ない場合、伝送部２３は、直ちに該コンテンツをユーザの端末、すなわち端末情報が把握された端末に伝送する（３４０段階）。
【００４７】
ユーザの所望するコンテンツが存在するが（３２５段階）、ファイル形式の変換が必要である場合（３３０段階）、コンテンツ判断／変換部２２は、該コンテンツをユーザの端末情報によって変換し（３３５段階）、伝送部２３は、変換されたコンテンツをユーザの端末に伝送する（３４０段階）。
【００４８】
もしユーザの選択したコンテンツがあらかじめ準備されていない場合（３２５段階）、コンテンツ判断／変換部２２は、コンテンツ供給者のサーバーに接続して必要なコンテンツを要請する（３４５段階）。
【００４９】
ユーザの端末情報に合う変換が必要ないあらかじめ変換されたコンテンツを受信する場合（３５５段階）、直ちにユーザの端末に伝送する（３４０段階）。しかし、相変らず変換しなければならない必要がある場合、コンテンツ判断／変換部２２は、原本コンテンツを受信し（３５０段階）、該コンテンツをユーザの端末で再生できる形式に変換し（３３５段階）、伝送部２３を介してユーザの端末に伝送する。
【００５０】
３４０段階で伝送部は、有無線インターフェースを使用してユーザの端末にコンテンツを伝送する（３６０、３６５段階）。端末の立場では、コンテンツをダウンロードするのである。
【００５１】
このとき、ユーザがすでに保有している補助メモリにコンテンツをダウンロードする場合、コンテンツ自動販売機前面のメモリリーダを介して、補助メモリにダウンロードすることができる。この補助メモリは、ユーザの端末が接続あるいはアクセスできる記録媒体であるから、この補助メモリをユーザの端末と連結し、コンテンツの再生が可能になる。
【００５２】
もしユーザが補助メモリなどを携帯できない場合、ユーザの端末であるＰＭＳに付着された無線インターフェースを介して、端末にダウンロードすることができる。このときは、表１で交換された情報を使用し、本発明による装置の伝送部２３は、端末が利用できる無線インターフェースを介して端末と連結されるように作動する。
【００５３】
端末の仕様が低調であったり、または補助メモリなども携帯できない場合でも、ユーザは、別途に販売するメモリカードをその場で購買した後、それを使用して前記の通りにコンテンツをダウンロードし、端末を利用してコンテンツを楽しむことができる。
【００５４】
コンテンツ伝送が完了すれば、本発明による装置はコンテンツ伝送過程を終了し、初期の待機状態に戻る。このとき、参照番号３３５段階の変換結果として変換されたコンテンツは、一定時間の間、本発明による装置の内部所定の保存装置に登録されて使われうるようにして、その保存装置の保存空間が不足したり、または掲示期間を超える場合には、自動廃棄させられる。あるいは、別途のコンテンツデータベース（ＤＢ）を構成して登録し、そのデータベースにより管理させることも可能である。
【００５５】
図４は、本発明による端末情報に基いたあつらえ型コンテンツの提供装置の内部構成の詳細な一例をブロックで図示したものである。これは、図２の構成を含むものである。
【００５６】
タッチスクリーン及びディスプレイ部１００は、本発明による装置の主要なユーザインターフェースであり、図３で説明された段階で必要なそれぞれのユーザインターフェースを表示し、ユーザに選択事項を表示して応答入力を受ける過程を取らせるＧＵＩ（Graphic User Interface）によって構成され、ユーザは、既定の過程によって本発明による装置を使用できるように、ユーザの要請事項を入力できる画面インターフェースを提供させる機能を有する。
【００５７】
メモリカードリーダ部１１０は、ユーザが購買したコンテンツを実際に有線上でダウンロードされる部分である。すなわち、ユーザは、自身のＰＭＳ機器に合うメモリカードをあらかじめ準備し、これをリーダ部１１０に挿入した後、購買したコンテンツをメモリカードリーダ部１１０を介してメモリカードに記録して購買するのである。
【００５８】
無線送受信部１２０は、ユーザの端末情報を手動で入力されたり、または購入したコンテンツを無線でダウンロードされる機能を提供する。その技術的な方法で多様な無線通信方法を使用できるが、代表的な無線通信技術であるブルーツースや無線ＬＡＮであるワイファイ（ＷｉＦｉ）などの方法を使用できる。
【００５９】
メモリカードリーダ部１１０と無線送受信部１２０とが図２の伝送部２３の機能のほとんどを具現したのである。
【００６０】
決済部１３０は、購買したコンテンツの課金を実施する部分であり、現金、カード、ｅ−マネー、携帯電話決済など既存に存在する多様な方法で課金を可能にする。
【００６１】
メモリカードトレイ１４０は、メモリカード保存ケース１５０に保存された半導体メモリカードやメモリ保存装置を消費者に直接販売し、これを引き出させるための引き出し口である。もし消費者がコンテンツを保存する適当なメモリカードを有していない場合、メモリカードを直接現場で購買できるようにするためである。
【００６２】
電源供給部１６０は、本発明による装置に電源を供給するための部分である。機器温度調節部１７０は、装置内部の温度を一定に調整し、安定した機器動作のための条件を維持する部分であり、冷却器、ファンなどによって構成された部分である。
【００６３】
ネットワークアダプタ２５０は、本発明による装置で使用するためのインターネット連結部を表現した部分であり、既存のインターネットサービス供給者網を使用できる。
【００６４】
参照番号２００の中央制御部２０１、コンテンツ変換部２０２及び保存装置２０３については、図５で詳細に説明する。中央制御部２０１及びコンテンツ変換部２０２は、図２の端末情報把握部２０及びコンテンツ判断／変換部２２の機能をほとんど遂行する。中央制御部２０１、コンテンツ変換部２０２は、コンピュータあるいはサーバシステムのような装置のＣＰＵと適切なプログラムを介して実施され、別途のハードウェアで具現して実施することもできる。以下では、かようなプログラム的な面での説明が続く。
【００６５】
図５は、図３の中央制御部２０１、コンテンツ変換部２０２及び保存装置２０３の構成の詳細な一例をブロックで図示したものである。図５と共に、端末の情報を活用した本発明によるあつらえ型コンテンツの提供方法について続いて説明する。
【００６６】
ユーザが購買しようとするコンテンツを選択すれば、中央制御部２０１のプロファイル管理器２１１は、ユーザ端末のプロファイルを抽出する。一方、ダウンロード管理器２２１は、ユーザの選択したコンテンツが本発明による装置内部の保存空間に存在するか否かを判断する。端末に適するように変換されたコンテンツが存在すれば、直ちにユーザ端末にダウンロードがなされる。
【００６７】
もし、コンテンツの原本が存在するが、端末に適するように変換されたコンテンツが存在しない場合には、コンテンツ変換部２０２を介してコンテンツを変換する。コンテンツ原本さえも自動販売機に存在しないならば、ダウンロード管理器２２１は、コンテンツ提供業者にコンテンツの原本を要請し、それをネットワークアダプタ２５０を介して、本発明による装置でダウンロードした後、コンテンツ変換部２０２を介して端末に適するように変換し、最終的に端末にダウンロードする。
【００６８】
コンテンツ変換部２０２には、マルチメディアデータを変換するためのイメージ変換器２２２、文書変換器２３２、動映像変換器２４２があり、端末で動作する応用プログラムを変換するためのコンパイラ／リンカ２１２がある。
【００６９】
イメージ変換器２２２は、端末が支援するイメージ圧縮フォーマット、端末の余裕保存空間サイズ、端末の画面情報などの情報を活用し、イメージを端末に最適化された形態に変換する。
【００７０】
文書変換器２３２は、端末が支援する文書の種類、端末の余裕保存空間サイズ、端末の画面情報などの情報を活用し、文書を端末に最適化された形態に変換する。
【００７１】
動映像変換器２４２は、端末が支援する動映像の圧縮形式、端末の余裕保存空間サイズ、端末の画面情報、端末のメインメモリサイズ及びＣＰＵ情報などを活用し、動映像を端末に最適化された形態に変換する。
【００７２】
そして、コンパイラ／リンカ２１２は、端末が搭載しているプラットホームとライブラリとのバージョン情報、搭載したライブラリの種類、端末のメインメモリサイズ及びＣＰＵ情報、端末の余裕保存空間サイズ、端末画面情報などの情報を活用してコンテンツを作り直す動作を遂行する。
【００７３】
かような過程を介して端末に適するように変換されたコンテンツは、中央制御部２０１の処理によって保存装置２０３に保存されたり、または利用期間が終わった後、あるいは他の条件下で削除される。
【００７４】
本発明の他の使用で、コンテンツ変換部２０２の変換なしに、中央制御部２０１のダウンロード管理器２２１がコンテンツ供給者に端末情報を伝送し、ユーザ端末に適するように変換されたコンテンツをダウンロードした後、これを端末にダウンロードすることも可能であることは自明である。
【００７５】
本発明によれば、ユーザは既存に必要であった自身が所有した機器のシステム情報を認知できずとも簡単にコンテンツを獲得でき、既存にコンテンツ確保に費やされた多くの変換時間と事前準備段階に必要な時間とを縮めることができ、無形財産権の使用に対する合理的な方法を提示できるので、コンテンツ制作者とユーザとがいずれも適法な使用環境へ誘導でき、コンテンツをダウンロードするとき、既存に使用した移動通信網を使用しないことによって過大な課金問題を解決でき、移動時に備えて常にコンテンツを準備していても解決できる効果を提供する。
【００７６】
本発明が属する技術分野で当業者は、本発明が本発明の本質的な特性から外れない範囲で変形された形態で具現できるということを理解することができるであろう。従って、本開示された実施例は、限定的な観点ではなくして説明的な観点から考慮されねばならないのである。前記の説明に含まれた例は、本発明に対する理解のために導入されたものであって、この例は、本発明の思想と範囲とを限定しない。前記の例以外にも、本発明による多様な実施様態が可能であるということは、本発明が属する技術分野の通常の知識を有した者には自明なものである。本発明の範囲は、前述の説明ではなくして特許請求の範囲に示されており、それと同等な範囲内にあるあらゆる差異点は、本発明に含まれたものと解釈されねばならない。
【００７７】
また、本発明による前記の各段階は、一般的なプログラミング技法を利用し、ソフトウェア的に、またはハードウェア的に多様に具現可能であるということは、この分野で当業者ならば、容易に分かるであろう。
【００７８】
そして、本発明の一部段階はまた、コンピュータで読み取り可能な記録媒体にコンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（Read-Only Memory）、ＲＡＭ（Random-Access Memory）、ＣＤ−ＲＯＭ、ＣＤ−ＲＷ、磁気テープ、フロッピー（登録商標）ディスク、ＨＤＤ、光ディスク、光磁気保存装置などがあり、またキャリアウェーブ（例えば、インターネットを介した伝送）の形態で具現されるものも含む。また、コンピュータで読み取り可能な記録媒体は、ネットワークに連結されたコンピュータシステムに分散され、分散方式でコンピュータで読み取り可能なコードでもって保存されて実行されうる。
【図面の簡単な説明】
【００７９】
【図１】本発明によって、端末情報に基いてあつらえ型コンテンツを提供する方法の流れを示した図面である。
【図２】本発明によって、端末情報に基いてあつらえ型コンテンツを提供する装置の構成をブロックで示した図面である。
【図３】本発明によって、端末情報に基いてあつらえ型コンテンツを提供する方法の流れをさらに詳細に示した図面である。
【図４】本発明による端末情報に基いたあつらえ型コンテンツの提供装置の内部構成の詳細な一例をブロックで示した図面である。
【図５】図４の中央制御部、コンテンツ変換部及び保存装置の構成の詳細な一例をブロックで示した図面である。
【図１】
2009515378.tif 000004
【図２】
2009515378.tif 000005
【図３】
2009515378.tif 000006
【図４】
2009515378.tif 000007
【図５】
2009515378.tif 000008
【国際調査報告】
2009515378.tif 000009
2009515378.tif 000010